(57)【要約】  本発明は、複数の端末機にＢＣＡＳＴサービスに対する変動のような直ぐ提供されるイベントを通知するための方法及び装置を提供する。ＢＣＡＳＴサービスの受信のための加入情報、サービス提供情報、ＢＣＡＳＴサービスを受信する端末機に関する装置情報を管理するＢＣＡＳＴ加入管理部でＢＣＡＳＴサービス或いはサービス案内に関連した通知イベントの通知を受信する段階と、ＢＣＡＳＴ加入管理部で前記通知イベントに対する通知メッセージを生成し、ＢＣＡＳＴ加入管理部からＢＣＡＳＴサービスデータを集合して伝送し、ＢＣＡＳＴサービスに対するサービス案内を生成するＢＣＡＳＴサービス分配/適応部に通知メッセージを伝送する段階と、ＢＣＡＳＴサービス分配/適応部から前記ＢＤＳの放送チャンネル又は相互作用ネットワークの双方向チャンネルを通じて一つの端末機或いはグループの端末機に前記通知メッセージを伝送する段階を有する。
2008529343.tif 000002
【特許請求の範囲】
【請求項１】
コンテンツ供給部から放送サービスのコンテンツを受信し、放送分配システム(Broadcast Distribution System：ＢＤＳ)又は相互作用(interaction)ネットワークを通じて前記放送サービスを一つの端末機或いはグループの端末機に提供する移動放送(Mobile Broadcast:ＢＣＡＳＴ)システムにおけるＢＣＡＳＴサービスに対する通知を伝送する方法であって、
ＢＣＡＳＴサービスの受信のための加入情報、サービス提供情報、及びＢＣＡＳＴサービスを受信する端末機に関する装置情報を管理するＢＣＡＳＴ加入管理部で、ＢＣＡＳＴサービス或いはサービス案内に関連した通知イベントの通知を受信する段階と、
前記ＢＣＡＳＴ加入管理部で前記通知イベントに対する通知メッセージを生成し、前記ＢＣＡＳＴ加入管理部から、前記ＢＣＡＳＴサービスデータを集合して伝送すると共に前記ＢＣＡＳＴサービスに対するサービス案内を生成するＢＣＡＳＴサービス分配/適応部に、前記通知メッセージを伝送する段階と、
前記ＢＣＡＳＴサービス分配/適応部から前記ＢＤＳの放送チャンネル又は前記相互作用ネットワークの双方向(interactive)チャンネルを通じて、一つの端末機或いはグループの端末機に前記通知メッセージを伝送する段階と、
を有することを特徴とする方法。
【請求項２】
前記ＢＣＡＳＴサービス分配/適応部で前記通知メッセージを伝送する方式を決定する段階をさらに有することを特徴とする請求項１記載の方法。
【請求項３】
前記通知メッセージの伝送段階は、
前記決定により、前記ＢＤＳの放送チャンネル又は前記相互作用ネットワークの双方向チャンネルを通じて前記ＢＣＡＳＴ分配/適応部から前記一つの端末機或いはグループの端末機に前記通知メッセージを伝送することを特徴とする請求項２記載の方法。
【請求項４】
前記通知を受信する段階は、
前記ＢＣＡＳＴサービスに対する変更を示す前記コンテンツ供給部で発生された前記通知イベント、或いは前記通知メッセージを生成するために使用されるサービス案内属性情報を、前記コンテンツ供給部によって提供されたＢＣＡＳＴサービスのコンテンツを用いてＢＣＡＳＴサービスデータを生成し、サービス案内に関する情報を生成するＢＣＡＳＴサービスアプリケーション部から受信することを特徴とする請求項１記載の方法。
【請求項５】
前記通知を受信する段階は、
前記ＢＣＡＳＴサービス分配/適応部で発生された通知イベントの通知を受信し、或いは前記ＢＤＳで発生された通知イベントの通知を前記ＢＣＡＳＴサービス分配/適応部を通じて受信することを特徴とする請求項１記載の方法。
【請求項６】
前記通知メッセージを伝送する段階は、
前記ＢＣＡＳＴサービス分配/適応部から前記ＢＤＳに前記通知メッセージを伝送し、前記ＢＤＳから前記放送チャンネルを通じて前記少なくとも一つの端末機にＢＣＡＳＴサービスに対するＢＣＡＳＴサービスデータで前記通知メッセージを伝送することを特徴とする請求項１記載の方法。
【請求項７】
前記通知メッセージを伝送する段階は、
前記ＢＣＡＳＴサービス分配/適応部から前記相互作用ネットワークに前記通知メッセージを伝送し、前記相互作用ネットワークから前記少なくとも一つの端末機に前記通知メッセージを伝送することを特徴とする請求項１記載の方法。
【請求項８】
前記通知メッセージは、
前記ＢＣＡＳＴサービス分配/適応部によって支援される短文メッセージサービス(ＳＭＳ）とマルチメディアメッセージサービス(ＭＭＳ）メッセージの一つに含まれ、前記相互作用ネットワークから前記少なくとも一つの端末機に伝送されることを特徴とする請求項７記載の方法。
【請求項９】
前記通知メッセージは、
前記相互作用ネットワークによって支援されるＳＭＳとＭＭＳメッセージの一つに含まれて前記少なくとも一つの端末機に伝送されることを特徴とする請求項７記載の方法。
【請求項１０】
前記少なくとも一つの端末機で前記通知メッセージを受信する段階と、
前記通知メッセージがＢＣＡＳＴサービススケジュールに変更のあることを示す場合に、前記変更されたＢＣＡＳＴサービススケジュールをユーザーに知らせる段階と、
前記通知メッセージがサービス案内の変更を示す場合に、前記通知メッセージに含まれた前記変更されたサービス案内のバージョン番号により前記変更されたサービス案内を選択的に受信する段階と、
をさらに有することを特徴とする請求項１記載の方法。
【請求項１１】
前記通知メッセージは、
前記通知メッセージに関連したＢＣＡＳＴサービスを示すサービス識別子(ＩＤ)、前記通知メッセージが伝送される理由、及び前記通知メッセージに関連したＢＣＡＳＴサービスのサービス案内のバージョン番号、前記理由についての追加説明を含むことを特徴とする方法。
【請求項１２】
前記通知メッセージは、
同一のメッセージ構成を有する少なくとも一つの他の通知メッセージと共に一つの統合メッセージで伝送されることを特徴とする通知伝送方法。
【請求項１３】
前記通知メッセージは、
前記通知メッセージに関連したサービス案内を示すサービス案内ＩＤと、前記通知メッセージが伝送される理由、前記通知メッセージに関連したサービス案内のバージョン番号、前記理由についての追加説明を含むことを特徴とする請求項１記載の方法。
【請求項１４】
前記通知メッセージが、
同一のメッセージ構成を有する少なくとも一つの他の通知メッセージと共に一つの統合メッセージで伝送されることを特徴とする請求項１３記載の方法。
【請求項１５】
コンテンツ供給部からＢＣＡＳＴ(Mobile Broadcast)サービスのコンテンツを受信し、ＢＤＳ(Broadcast Distribution  System)又は相互作用ネットワークを通じて前記ＢＣＡＳＴサービスを一つの端末機或いはグループの端末機に提供するＢＣＡＳＴシステムであって、
前記コンテンツ供給部から受信されたＢＣＡＳＴサービスのコンテンツを用いてＢＣＡＳＴサービスデータを生成し、サービス案内に関する情報を生成するＢＣＡＳＴサービスアプリケーション部と、
ＢＣＡＳＴの受信のための加入情報、サービス提供情報、及びＢＣＡＳＴサービスを受信する端末機に関する装置情報を管理し、ＢＣＡＳＴサービス又はサービス案内に対する通知イベントの通知を受信し、前記通知イベントに対する通知メッセージを生成するＢＣＡＳＴ加入管理部と、
前記ＢＣＡＳＴサービスデータを集合して伝送し、前記ＢＣＡＳＴサービスに対するサービス案内を生成し、そして、前記通知メッセージが前記ＢＤＳの放送チャンネル又は前記相互作用ネットワークの双方向チャンネルを通じて一つの端末機或いはグループの端末機に伝送されるように、前記ＢＤＳ又は前記相互作用ネットワークに前記通知メッセージを伝送するＢＣＡＳＴサービス分配/適応部と、
を含むことを特徴とするＢＣＡＳＴシステム。
【請求項１６】
前記ＢＣＡＳＴサービス分配/適応部は、
前記通知メッセージを伝送する方式を決定し、前記決定結果により、前記通知メッセージを前記ＢＤＳの放送チャンネル又は前記相互作用ネットワークの双方向チャンネルを通じて一つの端末機又はグループの端末機に伝送されるように、ＢＤＳ又は相互作用ネットワークに伝送することを特徴とする請求項１５記載のＢＣＡＳＴシステム。
【請求項１７】
前記ＢＣＡＳＴサービスアプリケーション部は、
ＢＣＡＳＴサービスに変動を示す前記コンテンツ供給部で発生された前記通知イベントの通知、或いは前記通知メッセージを生成するために使用されるサービス案内属性情報を前記ＢＣＡＳＴ加入管理部に提供することを特徴とする請求項１５記載のＢＣＡＳＴシステム。
【請求項１８】
前記ＢＣＡＳＴ加入管理部は、
前記ＢＣＡＳＴサービス分配/適応部で発生された前記通知イベントの通知を受信し、或いは前記ＢＤＳで発生された前記通知イベントを前記ＢＣＡＳＴサービス分配/適応部を通じて受信することを特徴とするＢＣＡＳＴシステム。
【請求項１９】
前記ＢＣＡＳＴサービス分配/適応部は、
前記ＢＤＳに前記通知メッセージを伝送することで、前記ＢＤＳが前記通知メッセージをＢＣＡＳＴサービスに対するＢＣＡＳＴサービスデータに含んで前記放送チャンネルを通じて前記少なくとも一つの端末機に伝送することを可能としたことを特徴とする請求項１５記載のＢＣＡＳＴシステム。
【請求項２０】
前記ＢＣＡＳＴサービス分配/適応部は、
前記相互作用ネットワークに前記通知メッセージを伝送して前記相互作用ネットワークが前記通知メッセージを前記少なくとも一つの端末機に伝送することを特徴とするＢＣＡＳＴシステム。
【請求項２１】
前記通知メッセージは、
前記ＢＣＡＳＴサービス分配/適応部によって支援されるＳＭＳ及びＭＭＳメッセージの一つに含まれ、前記相互作用ネットワークを通じて前記少なくとも一つの端末機に伝送されることを特徴とする請求項２０記載のＢＣＡＳＴシステム。
【請求項２２】
前記通知メッセージは、
前記相互作用ネットワークによって支援されるＳＭＳ又はＭＭＳメッセージに含まれて前記少なくとも一つの端末機に伝送されることを特徴とする請求項２０記載のＢＣＡＳＴシステム。
【請求項２３】
前記少なくとも一つの端末機は、
前記通知メッセージを受信し、前記通知メッセージがＢＣＡＳＴサービススケジュールの変更を示す場合に前記変更されたＢＣＡＳＴサービススケジュールをユーザーに知らせ、前記通知メッセージがサービス案内の変更を示す場合に、前記通知メッセージに含まれた前記変更されたサービス案内のバージョン番号により前記変更されたサービス案内を選択的に受信することを特徴とする請求項１５記載のＢＣＡＳＴシステム。
【請求項２４】
前記通知メッセージは、
前記通知メッセージに関連したＢＣＡＳＴサービスを示すサービス識別子(ＩＤ)、前記通知メッセージが伝送される理由、前記ＢＣＡＳＴサービスのサービス案内のバージョン番号、及び前記理由についての追加説明を含むことを特徴とする請求項１５記載のＢＣＡＳＴシステム。
【請求項２５】
前記通知メッセージが、
同一のメッセージ構成を有する少なくとも一つの他の通知メッセージと共に一つの統合メッセージで伝送されることを特徴とする請求項２４記載のＢＣＡＳＴシステム。
【請求項２６】
前記通知メッセージは、
前記通知メッセージに関連したサービス案内を示すサービス案内識別子(ＩＤ)、前記通知メッセージが伝送される理由、前記サービス案内のバージョン番号、及び前記理由に対する追加的な説明を含むことを特徴とする請求項１５記載のＢＣＡＳＴシステム。
【請求項２７】
前記通知メッセージは、
同一のメッセージ構成を有する少なくとも一つの他の通知メッセージと共に一つの統合メッセージで伝送されることを特徴とする請求項２６記載のＢＣＡＳＴシステム。
【請求項２８】
コンテンツ供給部からＢＣＡＳＴ(Mobile Broadcast)サービスのコンテンツを受信し、ＢＤＳ(Broadcast Distribution System）又は相互作用ネットワークを通じて前記ＢＣＡＳＴサービスを一つの端末機或いはグループの端末機に提供するＢＣＡＳＴシステムであって、
前記コンテンツ供給部から受信されたＢＣＡＳＴサービスのコンテンツを用いてＢＣＡＳＴサービスデータを生成し、サービス案内に対する属性情報を生成するＢＣＡＳＴサービスアプリケーション部と、
ＢＣＡＳＴサービスの受信のための加入情報、サービス提供情報、及びＢＣＡＳＴサービスを受信する端末機に対する装置情報を管理し、前記加入情報を、前記サービス提供情報、及び装置情報を前記ＢＤＳ又は前記相互作用ネットワークに提供するＢＣＡＳＴ加入管理部と、
前記ＢＣＡＳＴサービスデータを集合して前記ＢＤＳ又は前記相互作用ネットワークを通じて前記少なくとも一つの端末機に伝送し、前記サービス案内属性情報を用いて前記ＢＣＡＳＴサービスに対するサービス案内を生成して前記ＢＤＳ又は前記相互作用ネットワークを通じて前記少なくとも一つの端末機に伝送するＢＣＡＳＴサービス分配/適応部と、
を含むことを特徴とするＢＣＡＳＴシステム。
【請求項２９】
前記ＢＣＡＳＴ加入管理部は、
ＢＣＡＳＴサービス又はサービス案内に対する通知イベントの通知を受信し、前記通知イベントに対する通知メッセージを生成することを特徴とする請求項２４記載のＢＣＡＳＴシステム。
【請求項３０】
前記ＢＣＡＳＴサービス分配/適応部は、
前記ＢＣＡＳＴ加入管理部から受信された前記通知メッセージを伝送する方式を決定し、前記決定結果により前記通知メッセージを前記ＢＤＳ又は相互作用ネットワークに送信することで、前記ＢＤＳの放送チャンネル又は前記相互作用ネットワークの双方向チャンネルを通じて一つの端末機或いはグループの端末機に前記通知メッセージを伝送することを可能としたことを特徴とする請求項２９記載のＢＣＡＳＴシステム。
【請求項３１】
前記ＢＣＡＳＴサービスアプリケーション部は、
前記コンテンツ供給部で発生された前記通知イベント又は前記通知メッセージを生成するために使用されるサービス案内属性情報を前記ＢＣＡＳＴ加入管理部に伝送することを特徴とする請求項３０記載のＢＣＡＳＴシステム。
【請求項３２】
前記ＢＣＡＳＴ加入管理部は、
前記ＢＣＡＳＴサービス分配/適応部で発生された前記通知イベントの通知を受信し、或いは前記ＢＤＳで発生された前記通知イベントの通知を前記ＢＣＡＳＴサービス分配/適応部を通じて受信することを特徴とする請求項３０記載のＢＣＡＳＴシステム。
【請求項３３】
前記ＢＣＡＳＴサービス分配/適応部は、
前記ＢＤＳに前記通知メッセージを伝送することで、前記ＢＤＳが前記通知メッセージをＢＣＡＳＴサービスに対するＢＣＡＳＴサービスデータに含めて前記放送チャンネルを通じて前記少なくとも一つの端末機に伝送することを可能としたこと特徴とする請求項３０記載のＢＣＡＳＴシステム。
【請求項３４】
前記ＢＣＡＳＴサービス分配/適応部は、
前記相互作用ネットワークに前記通知メッセージを伝送することで、前記相互作用ネットワークが前記通知メッセージを前記少なくとも一つの端末機に伝送することを可能としたことを特徴とする請求項３０記載のＢＣＡＳＴシステム。
【請求項３５】
前記通知メッセージが、
前記ＢＣＡＳＴサービス分配/適応部によって支援するＳＭＳ又はＭＭＳメッセージの一つに含まれ、前記相互作用ネットワークを通じて前記少なくとも一つの端末機に伝送されることを特徴とする請求項３４記載のＢＣＡＳＴシステム。
【請求項３６】
前記通知メッセージは、
前記相互作用ネットワークによって支援されるＳＭＳ及びＭＭＳメッセージの一つに含まれて前記少なくとも一つの端末機に伝送されることを特徴とする請求項３４記載のＢＣＡＳＴシステム。
【請求項３７】
前記少なくとも一つの端末機は、
前記通知メッセージを受信し、前記通知メッセージがＢＣＡＳＴサービススケジュールの変更を示す場合に前記変更されたＢＣＡＳＴサービススケジュールをユーザーに知らせ、前記通知メッセージがサービス案内の変更を示す場合に、前記通知メッセージに含まれた前記変更されたサービス案内のバージョン番号により前記変更されたサービス案内を選択的に受信することを特徴とする請求項３０記載のＢＣＡＳＴシステム。
【請求項３８】
前記通知メッセージは、
前記通知メッセージに関連したＢＣＡＳＴサービスを示すサービス識別子(ＩＤ)、前記通知メッセージが伝送される理由、前記ＢＣＡＳＴサービスのサービス案内のバージョン番号、及び前記理由に対する追加的な説明を含むことを特徴とする請求項３０記載のＢＣＡＳＴシステム。
【請求項３９】
前記通知メッセージは、
同一のメッセージ構成を有する少なくとも一つの他の通知メッセージと共に一つの統合メッセージで伝送されることを特徴とする請求項３８記載のＢＣＡＳＴシステム。
【請求項４０】
前記通知メッセージは、
前記通知メッセージに関連したサービス案内を示すサービス案内識別子(ＩＤ)、前記通知メッセージが伝送される理由、前記サービス案内のバージョン番号、及び前記理由についての追加説明を含むことを特徴とする請求項３０記載のＢＣＡＳＴシステム。
【請求項４１】
前記通知メッセージは、
同一のメッセージ構成を有する少なくとも一つの他の通知メッセージと共に一つの統合メッセージで伝送されることを特徴とする請求項４０記載のＢＣＡＳＴシステム。
【発明の詳細な説明】
【技術分野】
【０００１】
本発明は移動放送(Ｍｏｂｉｌｅ  Ｂｒｏａｄｃａｓｔ：以下、“ＢＣＡＳＴ”とする)サービスを支援する移動放送システムに関するもので、システム及びサービスの変更のような通知イベントを一つ又はグループの端末機に伝送するための方法及び装置に関するものである。
【背景技術】
【０００２】
現在の通信及び放送技術の発達により、放送システム又は移動通信システムはＢＣＡＳＴサービスを提供する。従来の音声指向及び画像指向の通常的なＢＣＡＳＴサービスだけでなく、パケットデータを、放送チャンネルを通じて追加的に伝送できるＢＣＡＳＴサービスが論議されている。
【０００３】
ＢＣＡＳＴは、ＢＣＡＳＴに関連した制御情報を提供するＢＣＡＳＴ可能な端末機によるサービスの発見及び加入、および、このＢＣＡＳＴサービスの伝送及び受信のプロセスである。ＢＣＡＳＴサービス中に多くの要因によって変更が発生する可能性があり、変更の一部は端末機に通知すべき必要がある。このような変更は、例えばサービススケジュール、或いはサービス受信の情報に関するものである。
【０００４】
ＢＣＡＳＴサービスに関するサービス案内(Service  Guide)提供情報は、端末機のサービス発見に必ず必要である。ＢＣＡＳＴの受信のために、端末機はいつもサービス案内を受信する。
【０００５】
図１Ａ及び図１Ｂは、従来の移動放送システムで使用されるサービス案内を示す。ここで、ＢＣＡＳＴサービスとしては、通常的な音声/映像放送サービス及びパケット伝送サービスが提供される。特に、図１Ａは、複数のＢＣＡＳＴサービスに関するＳＧ情報を含むＳＧメッセージ又はファイルの構成を示す。図１Ｂは、サービスメッセージ又はファイルにおける各ＳＧの構成を示す。
【０００６】
図１Ａを参照すれば、ヘッダー１０１は、サービス案内メッセージ、又はファイルのサービス案内情報の個数、サービス案内メッセージ又はファイルの識別子(ＩＤ)、バージョン、及び長さを示す。端末機は、ヘッダー１０１からサービス案内メッセージに関する一般的な情報を獲得する。参照番号１０２及び１０３は、ＢＣＡＳＴサービス１〜ＢＣＡＳＴサービスｎに対するサービス案内を表し、その構成は図１Ｂに詳細に示す。
【０００７】
図１Ｂを参照すると、各サービス案内に対して、ヘッダー１１１は、サービス案内情報を構成している個々のブロックに関する情報、サービスＩＤ、サービス案内のバージョン及び長さのような一般的な情報を含む。アクセス情報１１２は、サービス案内に対応するＢＣＡＳＴサービスを受信する方法を示す。したがって、アクセス情報１１２は、ＢＣＡＳＴサービスが提供されるチャンネルに関する情報、ＢＣＡＳＴサービスのスケジュール、及びＢＣＡＳＴサービスの受信に関連したその他の情報を提供する。提供情報(Provisioning  info)１１３は、ＢＣＡＳＴサービスを受信するために要求される課金情報又は保安(security)情報を提供する。端末要件(Terminal  requirement)１１４は、ＢＣＡＳＴサービスを受信するための端末機の必要事項を示す。これら情報ブロック１１２，１１３，１１４に加えて、プレビュー情報１１５は、ＢＣＡＳＴサービスに関するプレビュー情報を提供するためにさらに含まれる。
【０００８】
サービス案内の一部情報は、いつでも変化する可能性があり、この情報が変更される度に更新されるサービス案内は伝送されなければならない。移動放送の特性上、新たな端末機がＢＣＡＳＴサービスに参加する場合を考慮すれば、ＢＣＡＳＴサービスに対するサービス案内が変更されなくてもサービス案内は反復的に伝送されなければならない。一例として、ユーザーが端末機の電源を新たに入れてＢＣＡＳＴサービスを受信しようとする場合、或いは端末機がユーザーの移動によってサービス案内を受信すべきである場合に、このような端末機は、既にＢＣＡＳＴサービスを受信している端末機とは別途にサービス案内を受信しなければならない。
【０００９】
したがって、ＢＣＡＳＴサービスに対するサービス案内を既に受信した端末機であっても、ＢＣＡＳＴサービスに対するサービス案内を継続して受信し、サービス案内情報が更新されたか否かを確認すべきである。サービス案内は通信又は放送プロトコルで最上位レベルに属するアプリケーションレベル(Application  level）のメッセージであるため、端末機は、サービス案内メッセージの全体を受信するまで現在のサービス案内の判別は不可能である。このようなサービス案内受信方法は、端末機の電源を深刻に消耗させるという短所を有する。１分に２回又は３回のサービス案内メッセージが伝送される場合に、端末機は、ＢＣＡＳＴサービスを受信していなくても、そのサービス案内を受信するために継続して作動される。
【発明の開示】
【発明が解決しようとする課題】
【００１０】
したがって、上記のような問題点を解決するために、本発明の目的は、端末機がサービス案内を受信する場合に電力消耗を減少することができる方法及び装置を提供することにある。
本発明の目的は、ＢＣＡＳＴシステムでシステムの変更又はＢＣＡＳＴサービスの変更を端末機に通知する方法及び装置を提供することにある。
本発明の目的は、ＢＣＡＳＴの変化を知らせるための通知メッセージの構成を提供することにある。
本発明の目的は、ＢＣＡＳＴサービスの変化に対する通知メッセージを伝送する伝送部(transmission  entity)とその下位ネットワークとの間の効率的な動作方法を提供することにある。
本発明の目的は、ＢＣＡＳＴの変化に対する通知メッセージを相互作用ネットワーク(interaction  network)を通じて効率的に伝送する方法を提供することにある。
本発明の目的は、ＢＣＡＳＴの変化に対する通知メッセージを放送ネットワークを通じて効率的に伝送する方法を提供することにある。
【課題を解決するための手段】
【００１１】
上記の目的を達成するために、本発明は、コンテンツ供給部から放送サービスのコンテンツを受信し、放送分配システム(Broadcast Distribution System：ＢＤＳ)又は相互作用(interaction)ネットワークを通じて前記放送サービスを一つの端末機或いはグループの端末機に提供する移動放送(Mobile Broadcast:ＢＣＡＳＴ)システムにおけるＢＣＡＳＴサービスに対する通知を伝送する方法であって、ＢＣＡＳＴサービスの受信のための加入情報、サービス提供情報、及びＢＣＡＳＴサービスを受信する端末機に関する装置情報を管理するＢＣＡＳＴ加入管理部で、ＢＣＡＳＴサービス或いはサービス案内に関連した通知イベントの通知を受信する段階と、前記ＢＣＡＳＴ加入管理部で前記通知イベントに対する通知メッセージを生成し、前記ＢＣＡＳＴ加入管理部から前記ＢＣＡＳＴサービスデータを集合して伝送し、前記ＢＣＡＳＴサービスに対するサービス案内を生成するＢＣＡＳＴサービス分配/適応部に前記通知メッセージを伝送する段階と、前記ＢＣＡＳＴサービス分配/適応部から前記ＢＤＳの放送チャンネル又は前記相互作用ネットワークの双方向(interactive)チャンネルを通じて、一つの端末機或いはグループの端末機に前記通知メッセージを伝送する段階とを有することを特徴とする。
【００１２】
また、本発明は、コンテンツ供給部からＢＣＡＳＴ(Mobile Broadcast)サービスのコンテンツを受信し、ＢＤＳ(Broadcast Distribution  System)又は相互作用ネットワークを通じて前記ＢＣＡＳＴサービスを一つの端末機或いはグループの端末機に提供するＢＣＡＳＴシステムであって、前記コンテンツ供給部から受信されたＢＣＡＳＴサービスのコンテンツを用いてＢＣＡＳＴサービスデータを生成し、サービス案内に関する情報を生成するＢＣＡＳＴサービスアプリケーション部と、ＢＣＡＳＴの受信のための加入情報、サービス提供情報、及びＢＣＡＳＴサービスを受信する端末機に関する装置情報を管理し、ＢＣＡＳＴサービス又はサービス案内に対する通知イベントの通知を受信し、前記通知イベントに対する通知メッセージを生成するＢＣＡＳＴ加入管理部と、前記ＢＣＡＳＴサービスデータを集合して伝送し、前記ＢＣＡＳＴサービスに対するサービス案内を生成し、前記ＢＤＳの放送チャンネル又は前記相互作用ネットワークの双方向チャンネルを通じて一つの端末機或いはグループの端末機に伝送されるように、前記ＢＤＳ又は前記相互作用ネットワークに前記通知メッセージを伝送するＢＣＡＳＴサービス分配/適応部とを含むことを特徴とする。
【００１３】
さらに、本発明は、コンテンツ供給部からＢＣＡＳＴ(Mobile Broadcast)サービスのコンテンツを受信し、ＢＤＳ(Broadcast Distribution System）又は相互作用ネットワークを通じて前記ＢＣＡＳＴサービスを一つの端末機或いはグループの端末機に提供するＢＣＡＳＴシステムであって、前記コンテンツ供給部から受信されたＢＣＡＳＴサービスのコンテンツを用いてＢＣＡＳＴサービスデータを生成し、サービス案内に対する属性情報を生成するＢＣＡＳＴサービスアプリケーション部と、ＢＣＡＳＴサービスの受信のための加入情報、サービス提供情報、及びＢＣＡＳＴサービスを受信する端末機に対する装置情報を管理し、前記加入情報を、前記サービス提供情報、及び装置情報を前記ＢＤＳ又は前記相互作用ネットワークに提供するＢＣＡＳＴ加入管理部と、前記ＢＣＡＳＴサービスデータを集合して前記ＢＤＳ又は前記相互作用ネットワークを通じて前記少なくとも一つの端末機に伝送し、前記サービス案内属性情報を用いて前記ＢＣＡＳＴサービスに対するサービス案内を生成して前記ＢＤＳ又は前記相互作用ネットワークを通じて前記少なくとも一つの端末機に伝送するＢＣＡＳＴサービス分配/適応部とを含むことを特徴とする。
【発明の効果】
【００１４】
本発明は、ＢＣＡＳＴシステムでシステムの変更又はサービスの変更を示す通知メッセージを伝送する。この方法を支援するために、本発明は、通知メッセージを伝送するための通知メッセージの構成及びＢＣＡＳＴネットワークの構成を提案する。その結果、本発明は、受信しているＢＣＡＳＴサービスの中断を最小化し、ＢＣＡＳＴサービス及びサービス案内を端末機で受信するときの電力消耗を最小化することができる効果がある。
【発明を実施するための最良の形態】
【００１５】
以下、本発明の望ましい実施形態を添付の図面を参照して詳細に説明する。
下記に、本発明に関連した公知の構成又は機能に関する具体的な説明が本発明の要旨を不明にすると判断された場合に、その詳細な説明を省略する。
【００１６】
後述する説明では、本発明のいくつかの実施形態を提示する。非同期移動通信標準である３ＧＰＰ(3rd  Generation Partnership Project)又は移動アプリケーション(application）標準機構であるＯＭＡ(Open  Mobile  Alliance)によって定義されている個体(entities)の名称を使用するが、本発明が、このような標準及び名称に限定されることなく、類似した技術的背景を有するシステムに適用可能であることはもちろんである。
【００１７】
＜第１の実施形態＞
図２は、本発明の実施形態によるＢＣＡＳＴを支援するＢＣＡＳＴネットワークの構成を示す。このＢＣＡＳＴネットワークの構成は、ＯＭＡによって標準化されたＯＭＡ  ＢＣＡＳＴを示す。同図に示す個体は、物理的に区別されうる論理個体(logical entities)である。この論理個体は、一つ又はそれ以上の物理個体(physical entities)を結合することができる。
【００１８】
図２に示す放送システムを構成する論理個体を説明すると、コンテンツ供給部(Content  Creation  entity)２０１は、ＢＣＡＳＴサービスの供給者である。ＢＣＡＳＴサービスは、従来の音声/映像放送サービス、ファイル(音楽ファイル及びデータファイル)ダウンロードなどである。
【００１９】
ＢＣＡＳＴサービスアプリケーション部(Service  Application  entity)２０２は、コンテンツ供給部２０１からＢＣＡＳＴサービスデータを受信し、ＢＣＡＳＴネットワークに適合するようにＢＣＡＳＴサービスデータを処理し、サービス案内を生成する。
【００２０】
ＢＣＡＳＴサービス分配部(BCAST  Service  Distribution  entity)２０３は、ＢＣＡＳＴサービスアプリケーション部２０２から受信されたＢＣＡＳＴサービスデータを伝送するベアラ(bearer)を設定し、ＢＣＡＳＴサービスの伝送スケジュールを決定する。このＢＣＡＳＴサービス分配部２０３は、ＢＤＳ(Broadcast  Distribution  System)２０４及び双方向通信を支援する相互作用ネットワーク(interactive  network)２０５に接続される。
【００２１】
ＢＤＳ２０４は、ＢＣＡＳＴサービスを伝送するネットワークであって、例えばＤＶＢ-Ｈ(Digital  Video  Broadcasting  Handheld)、３ＧＰＰのＭＢＭＳ(Multimedia  Broadcast  Multicast  Service)、又は３ＧＰＰ２のＢＣＭＣＳ(Broadcast  and  Multicast  Service)である。
【００２２】
相互作用ネットワーク２０５は、ポイント・ツー・ポイント(point to-point)方式でＢＣＡＳＴサービスデータを伝送し、或いはＢＣＡＳＴサービス受信に関連した制御情報及び追加情報を双方向に交換するが、例えば既存の３ＧＰＰ又は３ＧＰＰ２セルラーネットワークである。
【００２３】
端末機２０６は、ＢＣＡＳＴサービスを受信することができ、その性能に基づいてセルラーネットワークがアクセス可能である。本発明では、セルラーネットワークに接続することができる端末機を仮定する。
【００２４】
次に、論理個体間のインターフェースについて説明する。
Ｎ２  ２１１は、ＢＣＡＳＴサービスアプリケーション部２０２の通知生成部(Notification  Generation  Function  block)２０２-１とＢＣＡＳＴサービス分配部２０３の通知分配部(Notification  Distribution  Function  block)２０３-１とをインターフェースする。このインターフェースは、通知生成部２０２-１で通知メッセージを生成するためにＢＣＡＳＴサービス分配部２０３から必要な情報を受信し、或いは通知メッセージをＢＣＡＳＴサービス分配部２０３に伝送するために使用される。
【００２５】
Ｎ３  ２１２は、ＢＣＡＳＴサービスアプリケーション部２０２から生成された通知メッセージを、ＢＤＳ２０４を透過的に通過させて一つ又はグループの端末機に直接伝送するためのインターフェースである。
【００２６】
Ｎ４  ２１３は、ＢＣＡＳＴサービスアプリケーション部２０２から生成された通知メッセージを、相互作用ネットワーク２０５を透過的に経て相互作用ネットワーク２０５によって提供される専用チャンネル又は端末機のチャンネル又は放送チャンネルを通じて一つ又はグループの端末機に直接伝送するためのインターフェースである。
【００２７】
Ｎ５  ２１４は、ＢＣＡＳＴサービス分配部２０３から生成された通知メッセージを、ＢＤＳ２０４を透過的に通過させて放送チャンネルを通じて一つ又はグループの端末機に直接伝送するためのインターフェースである。
【００２８】
Ｎ６  ２１５は、ＢＣＡＳＴサービス分配部２０３から生成された通知メッセージを、相互作用ネットワーク２０５を透過的に通過させて相互作用ネットワーク２０５によって提供される専用チャンネル又は双方向放送チャンネルを通じて一つ又はグループの端末機に伝送するためのインターフェースである。
【００２９】
Ｘ-１  ２２１は、ＢＣＡＳＴサービス分配部２０３からＢＤＳ２０４に伝送経路を提供し、ＢＤＳ２０４でイベントが発生された場合にイベント情報の受信経路を提供するためのインターフェースである。
【００３０】
Ｘ-２ａ  ２２２は、ＢＤＳ２０４からＢＣＡＳＴサービス関連制御情報を相互作用ネットワーク２０５に接続できない端末機に伝送するための単方向インターフェースである。
Ｘ-２ｂ  ２２３は、ＢＤＳ２０４が相互作用ネットワークの機能(すなわち、ＭＢＭＳ又はＢＣＭＣＳ)を有する場合に、ＢＤＳ２０４からＢＣＡＳＴサービス関連制御情報を相互作用ネットワーク２０５に接続できない端末機に伝送するための双方向インターフェースである。
【００３１】
Ｘ-３  ２２４は、ＢＣＡＳＴサービス分配部２０３から相互作用ネットワーク２０５に伝送通路を提供するためのインターフェースである。
Ｘ-４  ２２５は、相互作用ネットワーク２０５からＢＣＡＳＴサービス関連制御情報を伝送するための双方向インターフェースである。
【００３２】
Ｎ２，Ｎ３，Ｎ４，Ｎ５，Ｎ６は、本発明の望ましい実施形態により提案されるインターフェースである。また、通知生成部２０２-１、通知分配部２０３-１、通知クライアント部(Notification  Client  Function(NTC)  block)２０６-１は、本発明の望ましい実施形態によって提案された個体である。
【００３３】
通知生成部２０２-１は、例えば、ＢＣＡＳＴサービスの開始を知らせる必要がある場合、或いはコンテンツ供給部２０１からＢＣＡＳＴ情報の変更に対する通知に基づいて新たなサービス案内を伝送する必要がある場合に通知メッセージを生成する。この通知メッセージは、Ｎ３を経てＢＤＳ２０４を通じて、或いはＮ４を経て相互作用ネットワーク２０５を通じて端末機２０６に伝送される。
【００３４】
また、通知分配部２０３-１は、ＢＣＡＳＴ情報変更(例えば、無線ネットワーク環境による伝送速度の制御或いはサービスの不可能)の通知を受信する場合に通知メッセージを生成する。この通知メッセージはＮ５又はＮ６を通じて端末機２０６に伝送される。
【００３５】
図２に示されないが、通知メッセージを次のような方法で伝送することが可能である。Ｘ-３を通じて通知生成部２０２-１又は通知分配部２０３-１から通知メッセージの生成に必要な情報を受信する場合に、相互作用ネットワーク２０５は、短文メッセージサービス(Short  Message  Service：ＳＭＳ)又はマルチメディアメッセージ(Multimedia  Messaging  Service：ＭＭＳ)を用いて通知メッセージを端末機２０６に伝送する。
【００３６】
図２を参照して、通知メッセージの生成及び伝送経路を説明する。下記に、図３Ａ〜図３Ｅを参照して通知メッセージの構成について説明する。
図３Ａは、本発明によりＢＣＡＳＴに対する通知メッセージのフォーマットを示す。通知メッセージの目的により、この通知メッセージの情報ブロックは、全体又は一部分が使用される。さらに、情報ブロックの配置は図３Ａに限定されない。
【００３７】
図３Ａを参照すれば、ヘッダー３０１は、メッセージタイプ、メッセージ長さ、及び通知メッセージに伝送されるブロックの種類を示す。必要な場合に、通知メッセージタイプは提供されないことがある。サービスＩＤ３０２は、通知メッセージを供給するためのＢＣＡＳＴサービスを示す。サービスＩＤ３０２の値は、通知メッセージの応用範囲に基づいて決定される。その理由は、一つのＢＣＡＳＴサービスに対して、ユーザーが識別できるサービスＩＤ、アプリケーションで使用されるサービスＩＤ、伝送部に使用されるサービスＩＤのような多様なタイプのＩＤが使用可能なためである。
【００３８】
理由(Reason)３０３は、通知メッセージを伝送するための理由を示す。この理由３０３は、サービスの中断、サービス開始時間の変更、緊急状況、サービスの開始時間の再通知、通知メッセージに関連したＢＣＡＳＴに対するサービス案内の変更によるサービス案内の再受信に設定される。バージョン番号(version  number)３０４は、ＢＣＡＳＴサービスに対するサービス案内のバージョン番号を示す選択的な情報ブロックである。端末機は、バージョン番号によってサービス案内が変更されたか否かを判定する。
【００３９】
アプリケーションのテキスト３０５は、必要な場合に、理由３０３の理由についての追加説明を提供する。その説明は、２進ＡＳＣＩＩコード又はＸＭＬ (Extensive  Markup  Language）のような言語が使われることができる。到着時間３０６は、ＢＣＡＳＴサービスに対するサービス案内の到着時間を示す選択的な情報ブロックである。端末機は、到着時間３０６を用いて到着時間を計算してサービス案内を受信する。
【００４０】
図３Ｂは、本発明によりサービス案内の更新に対する通知メッセージのフォーマットを示す。
図３Ｂを参照すれば、ヘッダー３１１は、メッセージタイプ、メッセージ長さ、通知メッセージに伝送されるブロックの種類を示す。必要な場合に、メッセージタイプは提供されないことがある。サービス案内ＩＤ３１２は、サービス案内を示す。このサービス案内ＩＤ３１２は、サービス案内の第１の伝送に使用されるサービス案内ＩＤであるため、端末機はこのサービス案内を識別することができる。
【００４１】
理由３１３は、通知メッセージを伝送する理由を示す選択的な情報ブロックである。通知メッセージが新たなサービス案内の伝送を通知するのに使用される場合に、理由３１３は提供されない。バージョン番号３１４は、通知メッセージに関連したＢＣＡＳＴサービスに対するサービス案内のバージョン番号を示す。端末機は、このバージョン番号によりサービス案内を再受信するか否かを決定する。
【００４２】
アプリケーションのテキスト３０５は、必要な場合に、理由３１３の理由に対する追加的な説明を提供する。その説明は、２進ＡＳＣＩＩコード又はＸＭＬ (Extensive  Markup  Language）のような言語が使われることができる。到着時間３１６は、ＢＣＡＳＴサービスに対するサービス案内の到着時間を示す選択的な情報ブロックである。端末機は、到着時間３１６を用いて到着時間を計算してサービス案内を受信する。
【００４３】
図３Ｂに示す通知メッセージは、サービス案内の伝送可否を下位階層で直接判別ができない、例えばＤＶＢ-Ｈのようなネットワークで有用に使用することができる。この通知メッセージを受信した後に、端末機は、必要なサービス案内を受信する。現在端末機が一つのＢＳＣＡＴサービスを受信し、加入した他のＢＣＡＳＴサービスに対するサービス案内が他のチャンネルを通じて伝送される場合に、端末機は加入した他のＢＣＡＳＴサービスに対するサービス案内を周期的に受信してサービス案内の内容が変更されたか否かを確認しなければならないという煩わしさを減少する。したがって、端末機は、通知メッセージの受信以後にサービス案内を受信する必要がある場合のみに他のチャンネルを受信することによって、現在のＢＣＡＳＴサービスの中断を最小化する。
【００４４】
図３Ｃに示す通知メッセージは、一つのＢＤＳとして３ＧＰＰのＭＢＭＳで有用に使用される。ヘッダー３２１、理由３２３、バージョン番号３２４、アプリケーションのテキスト３２５、及び到着時間３２６は、図３Ｂに示すブロックと同一である。反面、この通知メッセージは、サービス案内ＩＤ３２２のサービス案内ＩＤに加えてＭＢＭＳでサービスの識別のためにＴＭＧＩ(Temporal  Mobile  Group  Identity)を含む。３ＧＰＰのＭＢＭＳで、物理階層は、サービスに対する制御情報の伝送、サービスの伝送などをＴＭＧＩによって認識する。ＴＭＧＩが３ＧＰＰでの使用は、ＴＳ(Technical Specification)２５.３３１で詳細に説明するため、ここではその説明を省略する。
【００４５】
図３Ｃの構成を有する通知メッセージを受信した端末機は、ＴＭＧＩに関連したサービス案内が上記通知メッセージから伝送されることを知る場合に、サービス案内と貯蔵しているサービス案内とを比較し、サービス案内が現在貯蔵しているサービス案内と一致する場合にはサービス案内を受信しないことで、電力消耗を減少することができる。
【００４６】
図３Ｄは、図３Ａに示す通知メッセージを複数のＢＣＡＳＴサービスに対して同時に伝送するための統合通知メッセージの構成を示す。図３Ｄを参照すれば、ヘッダー３３１は、メッセージタイプ、長さ、統合メッセージを通じて伝送される通知メッセージの個数を含む。参照番号３３２〜３３４は、サービス１〜サービスｎに対する通知メッセージである。
【００４７】
図３Ｅは、図３Ｂに示す通知メッセージを複数のＢＣＡＳＴサービスに対して同時に伝送するための統合通知メッセージの構成を示す。図３Ｅを参照すれば、ヘッダー３４１は、メッセージタイプ、長さ、統合メッセージを通じて伝送される通知メッセージの個数を含む。参照番号３４２及び３４４は、サービス案内１〜サービス案内ｎに対する通知メッセージである。
【００４８】
以下に、本発明の実施形態により通知メッセージを一つの端末機又はグループの端末機に伝送手順を説明する。下記では、説明の便宜のために一つの端末機だけを言及するが、同一の説明が複数の端末機に適用可能であることは自明なことである。
【００４９】
図４は、本発明の第１の実施形態により、ＢＣＡＳＴサービスアプリケーション部から生成された通知メッセージをＢＤＳを通じて伝送するためのメッセージ流れを示す。図４に示すＢＣＡＳＴサービスアプリケーション部４００と、ＢＣＡＳＴサービス分配部４０１と、ＢＤＳ４０２、及び端末機４０３は、図２に示すような動作を遂行する。
【００５０】
図４を参照すれば、ステップ４１１で通知イベント(例えば、直ぐ提供されるサービス、サービス案内の変更、緊急状況など)が発生すれば、ＢＣＡＳＴサービスアプリケーション部４００は、ステップ４１２で通知イベントに関する通知メッセージを構成し、ステップ４１３でＢＤＳ４０２を通じて通知メッセージを伝送することに決定する。上記のようにＢＤＳ４０２を通じて通知メッセージを伝送することによって、複数の端末機が加入しているサービスに重大なイベントが発生した場合に、ＢＤＳ４０２を通じて複数の端末機に通知メッセージを伝送することによって有線／無線リソースを節約することができる。ステップ４１４で、ＢＣＡＳＴサービスアプリケーション部４００は、通知メッセージをＢＤＳ４０２に伝送する。ステップ４１５で、ＢＤＳ４０２は、通知メッセージを適切な方式で端末機４０３に伝送する。この適切な方式は、通知メッセージが伝送できるＢＣＡＳＴサービスを提供するものである。この場合に、通知メッセージは、仮想又は任意のＢＣＡＳＴサービスに対するサービスデータに含まれて端末機４０３に伝送される。
【００５１】
ステップ４１６で、端末機４０３は、通知メッセージを受信し、通知メッセージに対応する動作を遂行する。例えば、端末機４０３は、サービススケジュールの変更又は変更されたサービス案内をユーザーに通知する。通知メッセージが示すサービス案内の内容(すなわち、バージョン番号）が貯蔵されたサービス案内(すなわち、バージョン番号）と一致する場合に、端末機４０３はサービス案内を受信しないことで電力を節約する。
【００５２】
図５は、本発明の第１の実施形態により、ＢＣＡＳＴサービスアプリケーション部から生成された通知メッセージを相互作用ネットワークを通じて伝送するためのメッセージの流れを示す。図５に示すＢＣＡＳＴサービスアプリケーション部５００と、ＢＣＡＳＴサービス分配部５０１と、相互作用ネットワーク５０２、及び端末機５０３は、図２に示すような動作を遂行する。
【００５３】
図５を参照すれば、ステップ５１１で通知イベントが発生すれば、ＢＣＡＳＴサービスアプリケーション部５００は、ステップ５１２で通知イベントに対する通知メッセージを構成し、ステップ５１３で相互作用ネットワーク５０２を通じて通知メッセージを伝送することに決定する。ステップ５１４で、ＢＣＡＳＴサービスアプリケーション部５００は、相互作用ネットワーク５０２に通知メッセージを伝送する。
【００５４】
ＢＣＡＳＴサービスアプリケーション部５００は、通知メッセージを伝送するのに２つの方式を使用可能である。
一つの方式は、通知メッセージがＯＭＡ  ＳＭＳ又はＭＭＳメッセージに含まれることによって、相互作用ネットワーク５０２は、ＳＭＳ又はＭＭＳメッセージを簡単に伝送する。他の方式は、通知メッセージを相互作用ネットワーク５０２に伝送し、相互作用ネットワーク５０２はＳＭＳ又はＭＭＳメッセージによって端末機５０３に上記通知メッセージを伝送する。
【００５５】
ステップ５１５で、端末機５０３は、図４のステップ４１６の動作と同様に、ＳＭＳ又はＭＭＳメッセージを通じて通知メッセージを受信し、通知メッセージに対応する動作を遂行する。
【００５６】
図６及び図７は、本発明の実施形態によりＢＤＳで通知イベントが発生された場合に、ＢＣＡＳＴサービスアプリケーション部又はＢＣＡＳＴサービス分配部で通知メッセージを生成して端末機に伝送するための信号の流れ図である。
【００５７】
図６を参照すると、ステップ６１１で、無線環境の変化によるサービススケジュールの変更、サービス伝送速度の変更、或いはサービスの伝送不可能のような通知イベントが発生した場合に、ＢＤＳ６０２はステップ６２１〜６２４で構成される(ａ）の動作或いはステップ６３１〜６３４で構成される(ｂ）の動作を遂行する。
【００５８】
(ａ）の動作を説明すると、ＢＤＳ６０２は通知イベントの通知(notice）をＢＣＡＳＴサービスアプリケーション部６００に伝送する。ステップ６２２で、ＢＣＡＳＴサービスアプリケーション部６００は、通知イベントに関する通知メッセージを構成し、ステップ６２３でＢＤＳ６０２を通じて放送で通知メッセージの伝送方式を決定する。ＢＣＡＳＴサービスアプリケーション部６００は、ステップ６２４で、通知メッセージをＢＤＳ６０２に伝送する。このＢＤＳ６０２は、ステップ６３５で通知メッセージを端末機６０３に伝送し、ステップ６３６で端末機６０３は通知メッセージが示す動作を遂行する。
【００５９】
（ｂ）の動作を説明すると、ステップ６３１で、ＢＤＳ６０２は、通知イベントの発生をＢＣＡＳＴサービス分配部６０１に伝送する。ＢＣＡＳＴサービス分配部６０１は、ステップ６３２で、通知イベントに関する通知メッセージを構成してステップ６３３でＢＤＳ６０２を通じて伝送する。ステップ６３４で、ＢＣＡＳＴサービス分配部６０１は、通知メッセージをＢＤＳ６０２に伝送する。同様に、ステップ６３５で、ＢＤＳ６０２は、通知メッセージを端末機６０３に伝送し、ステップ６３６で端末機６０３は通知メッセージが示す動作を遂行する。
【００６０】
図７を参照すると、ステップ７１１で、無線環境の変化によるサービススケジュールの変更、サービス伝送速度の変更、或いはサービスの伝送不可能のような通知イベントが発生した場合に、ＢＤＳ７０２はステップ７２１〜７２４で構成される(ａ）の動作或いはステップ７３１〜７３４で構成される(ｂ）の動作を遂行する。
【００６１】
(ａ）の動作を説明すると、ＢＤＳ７０２は通知イベントの発生をＢＣＡＳＴサービスアプリケーション部７００に伝送する。ステップ７２２で、ＢＣＡＳＴサービスアプリケーション部７００は、通知イベントに対する通知メッセージを構成し、ステップ７２３で通知メッセージの伝送方式(例えば、相互作用ネットワーク７０３を通じて)を決定する。ＢＣＡＳＴサービスアプリケーション部７００は、ステップ７２４で、通知メッセージを相互作用ネットワーク７０３に伝送する。この相互作用ネットワーク７０３は、ステップ７３５で通知メッセージを端末機７０４に伝送し、ステップ７３６で端末機７０４は通知メッセージが示す動作を遂行する。
【００６２】
（ｂ）の動作を説明すると、ステップ７３１で、ＢＤＳ７０２は、通知イベントの発生をＢＣＡＳＴサービス分配部７０１に伝送する。ＢＣＡＳＴサービス分配部７０１は、ステップ７３２で、通知イベントに関する通知メッセージを構成してステップ７３３で相互作用ネットワーク７０３を通じて伝送する。ステップ７３４で、ＢＣＡＳＴサービス分配部７０１は、通知メッセージを相互作用ネットワーク７０３に伝送する。同様に、ステップ７３５で、相互作用ネットワーク７０３は、通知メッセージを端末機７０４に伝送し、ステップ７３６で端末機７０４は通知メッセージが示す動作を遂行する。
【００６３】
＜第２の実施形態＞
図８は、本発明の第２の実施形態により、ＢＣＡＳＴに対する通知メッセージを伝送するＢＣＡＳＴネットワークの構成を示す。このＢＣＡＳＴネットワークは、ＯＭＡによって標準化されたＯＭＡ  ＢＣＡＳＴサービスのためのシステム構成を示す。図示の個体は、物理的に区別され、或いは区別されない可能性のある論理個体である。この論理個体は、一つ或いはそれ以上の物理個体を結合することができる。
【００６４】
図８を参照すると、コンテンツ供給部８０１は、ＢＣＡＳＴサービスの供給者であって、ＢＣＡＳＴサービスは従来の音声/映像放送サービス、ファイル(音楽ファイル及びデータファイル)ダウンロードなどになる。コンテンツ供給部８０１は、ＢＣＡＳＴサービスの供給に問題又は変動事項が発生した場合に、ＢＣＡＳＴサービスアプリケーション部８０２の内部に位置する通知部(Notification  Function  block)８０２-１に前記の問題又は変更事項を通知する。
【００６５】
ＢＣＡＳＴサービスアプリケーション部８０２は、コンテンツ供給部８０１からＢＣＡＳＴサービスデータを受信し、ＢＣＡＳＴネットワークに適合するようにＢＣＡＳＴサービスデータを処理し、サービス案内を生成する。サービス案内に必要な標準化されたメタデータを生成する役割を担当する。コンテンツ供給部８０１によってＢＣＡＳＴサービスの変動通報を受信してＢＣＡＳＴサービス分配部８０３の内部に位置する通知管理部８０３-１に通知する。
【００６６】
ＢＣＡＳＴサービス分配部８０３は、ＢＣＡＳＴサービスアプリケーション部８０２から受信されたＢＣＡＳＴサービスデータを伝送するベアラを設定し、ＢＣＡＳＴサービスの伝送スケジュールを決定してサービス案内を生成する。このＢＣＡＳＴサービス分配部８０３は、ＢＤＳ８０４及び双方向通信を支援する相互作用ネットワーク(interaction  network)８０５に接続される。ＢＤＳ８０４又はコンテンツ供給部８０１からサービス案内の更新又はＢＣＡＳＴサービスの通知を受信すると、ＢＣＡＳＴサービス分配部８０３は、通知管理部８０３-１によって通知メッセージが生成される。
【００６７】
ＢＤＳ８０４は、ＢＣＡＳＴサービスを伝送するネットワークであって、例えばＤＶＢ-Ｈ、３ＧＰＰのＭＢＭＳ、又は３ＧＰＰ２のＢＣＭＣＳである。特定のＢＣＡＳＴサービスに変更が発生する場合に、ＢＤＳ８０４は、Ｘ-１  ８２１を通じてＢＣＡＳＴサービス分配部８０３に通知イベントの通知を伝送する。
【００６８】
相互作用ネットワーク８０５は、ポイント・ツー・ポイント方式でＢＣＡＳＴサービスデータを伝送し、或いは、ＢＣＡＳＴサービス受信に関連した制御情報及び追加情報を双方向に交換するが、例えば既存の３ＧＰＰ又は３ＧＰＰ２セルラーネットワークとなりうる。
【００６９】
端末機８０６は、ＢＣＡＳＴサービスを受信することができ、その性能に基づいてセルラーネットワークがアクセスすることができる。本発明では、セルラーネットワークに接続することができる端末機を仮定する。端末機８０６は、通知クライアント部８０６-１によってＮＴ-５  ８１４を通じて通知メッセージを受信し、通知メッセージで示すような動作を遂行する。或いは、ＮＴ-６  ８１５を通じてＢＣＡＳＴサービス分配部６０８の通知管理部８０３-１から通知メッセージを受信して、それによる動作を遂行する。
【００７０】
次に、論理個体間のインターフェースを説明する。
ＮＴ-１  ８５０は、ＢＣＡＳＴサービスアプリケーション部８０２の通知部８０２−１とコンテンツ供給部８０１とをインターフェースする。コンテンツ供給部８０１で通知イベントが発生される場合に、コンテンツ供給部８０１は、ＮＴ-１を通じて通知部８０２-１に上記通知イベントの通知を伝送する。
【００７１】
ＮＴ-２  ８１１は、ＢＣＡＳＴサービスアプリケーション部８０２の通知部８０２-１とＢＣＡＳＴサービス分配部８０３の通知管理部８０３-１とをインターフェースする。ＮＴ-２は、通知管理部８０３-１で通知メッセージが生成されるために要求される情報又は通知イベントの通知を伝送する。
【００７２】
ＮＴ-５  ８１４は、通知管理部８０３-１から生成された通知メッセージを、ＢＤＳ８０４を透過的に通過させて一つ又はグループの端末機に直接伝送するためのインターフェースである。
【００７３】
ＮＴ-６  ８１５は、通知管理部８０３-１から生成された通知メッセージを、相互作用ネットワーク８０５を透過的に通過させて、相互作用ネットワーク８０５によって提供される専用チャンネル又は双方向放送チャンネルを通じて一つ又はグループの端末機に伝送するためのインターフェースである。
【００７４】
Ｘ-１  ８２１は、ＢＣＡＳＴサービス分配部８０３からＢＤＳ８０４に伝送経路及びＢＤＳ８０４でイベントが発生された場合にイベント情報の受信経路を提供するためのインターフェースである。  
【００７５】
Ｘ-２ａ  ８２２は、ＢＤＳ８０４から相互作用ネットワーク８０５に接続できない端末機にＢＣＡＳＴサービス関連制御情報を伝送するための単方向インターフェースである。
Ｘ-２ｂ  ８２３は、ＢＤＳ８０４が相互作用ネットワークの機能(すなわち、ＭＢＭＳ又はＢＣＭＣＳ)を有する場合に、ＢＤＳ８０４からＢＣＡＳＴサービス関連制御情報を相互作用ネットワーク８０５に接続できない端末機に伝送するための双方向インターフェースである。
【００７６】
Ｘ-３  ８２４は、ＢＣＡＳＴサービス分配部８０３から相互作用ネットワーク８０５に伝送通路を提供するためのインターフェースである。
Ｘ-４  ８２５は、相互作用ネットワーク８０５からＢＣＡＳＴサービス関連制御情報を伝送するための双方向インターフェースである。
【００７７】
ＮＴ-１，ＮＴ-２，ＮＴ-５，ＮＴ-６は、本発明の望ましい実施形態により提案されるインターフェースである。また、通知部８０２-１、通知分配部８０３-１、通知クライアント部８０６-１は、本発明の望ましい実施形態によって提案された個体である。
【００７８】
通知部８０２-１は、通知メッセージを生成するのに必要な情報を通知管理部８０３-１に伝送する役割及び通知イベントが発生することを知る場合に、通知イベントを通知管理部８０３-１に伝送する。通知メッセージは、ＢＣＡＳＴサービスの開始を知らせる必要がある場合、コンテンツ供給部８０１からＢＣＡＳＴサービスの情報変更の通知に基づいて新たなサービス案内を伝送する必要がある場合に発生されることができる。
【００７９】
また、通知分配部８０３-１は、ＢＣＡＳＴ情報変更(例えば、無線ネットワーク環境による伝送速度の制御又はサービスの不可能)の通知を受信する場合に、通知メッセージを生成する。この通知メッセージは、ＮＴ-５又はＮＴ-６を通じて端末機８０６に伝送される。
【００８０】
図９は、本発明の第２の実施形態により、ＢＣＡＳＴサービス分配部によって生成された通知メッセージをＢＤＳを通じて端末機に伝送するメッセージ流れを示す。図９に示すＢＣＡＳＴサービスアプリケーション部９００、ＢＣＡＳＴサービス分配部９０１(通知管理部８０３-１)を含む)、ＢＤＳ９０２、及び端末機９０３は、図８に示すような動作を遂行する。
【００８１】
図９を参照すると、ステップ９１１、ステップ９１２、又はステップ９１３で通知イベントが発生する。特に、ステップ９１１で、ＢＣＡＳＴサービスアプリケーション部９００は、通知イベントが発生すると、通知イベントの通知をＢＣＡＳＴサービス分配部９０１に伝送する。ＢＤＳ９０２で通知イベントが発生すると、ＢＤＳ９０２は、ステップ９１２で、ＢＣＡＳＴサービス分配部９０１に通知イベントの通知を伝送する。ステップ９１３で、ＢＣＡＳＴサービス分配部９０１の通知管理部は、ＢＣＡＳＴサービスアプリケーション部９００又はＢＤＳ９０２から通知イベントを受信し、或いはＢＣＡＳＴサービス分配部９０１での通知イベントの発生を認知する。
【００８２】
ステップ９１４で、ＢＣＡＳＴサービス分配部９０１は、通知イベントに関する通知メッセージを構成し、ステップ９１５でＢＤＳ９０２を通じて通知メッセージの伝送を決定する。複数の端末機が加入されているサービスに重大なイベントが発生した場合に、ＢＤＳ９０２を通じて複数の端末機に前記通知メッセージを伝送することによって有無線リソースを節約することができる。
【００８３】
ステップ９１６で、ＢＣＡＳＴサービス分配部９０１は、通知メッセージをＢＤＳ９０２に伝送する。ステップ９１７で、ＢＤＳ９０２は、通知メッセージを適切な方式によって端末機９０３に伝送する。適切な方式は、この通知メッセージを伝送できるＢＣＡＳＴサービスを提供することができる。
【００８４】
ステップ９１８で、端末機９０３は、通知メッセージを受信し、通知メッセージに対応する動作を遂行する。例えば、端末機９０３は、サービススケジュールの変更又は変更されたサービス案内をユーザーに通知する。通知メッセージが示すサービス案内が貯蔵されたサービス案内と一致する場合に、端末機９０３はサービス案内を受信しないことで電力を節約する。
【００８５】
図１０は、本発明の第２の実施形態により、ＢＣＡＳＴサービス分配部から生成された通知メッセージを相互作用ネットワークを通じて伝送するためのメッセージの流れを示す。図１０に示すＢＣＡＳＴサービスアプリケーション部１０００と、通知管理部８０３-１を含むＢＣＡＳＴサービス分配部１００１と、相互作用ネットワーク１００２、及び端末機１００３は、図８に示すような動作を遂行する。
【００８６】
図１０を参照すると、ステップ１０１１、ステップ１０１２、又はステップ１０１３で通知イベントが発生する。特に、ステップ１０１１で、ＢＣＡＳＴサービスアプリケーション部１０００は、通知イベントが発生すると、通知イベントの通知をＢＣＡＳＴサービス分配部１００１に伝送する。相互作用ネットワーク１００２で通知イベントが発生すると、相互作用ネットワーク１００２は、ステップ１０１２で、ＢＣＡＳＴサービス分配部１００１に通知イベントの通知を伝送する。ステップ１０１３で、ＢＣＡＳＴサービス分配部１００１の通知管理部は、ＢＣＡＳＴサービスアプリケーション部１０００又は相互作用ネットワーク１００２から通知イベントを受信し、或いはＢＣＡＳＴサービス分配部１００１での通知イベントの発生を認知する。
【００８７】
ステップ１０１４で、ＢＣＡＳＴサービス分配部１００１は、通知イベントに関する通知メッセージを構成し、ステップ１０１５で相互作用ネットワーク１００２を通じて通知メッセージの伝送を決定する。ステップ１０１６で、ＢＣＡＳＴサービス分配部１００１は、通知メッセージを相互作用ネットワーク１００２に伝送する。ＢＣＡＳＴサービス分配部１００１は、通知メッセージを伝送するのに２つの方式を使用する。一つの方式は、通知メッセージがＯＭＡ  ＳＭＳ又はＭＭＳメッセージに含まれることによって、相互作用ネットワーク１００２は、ＳＭＳ又はＭＭＳメッセージを簡単に伝送する。他の方式は、通知メッセージを相互作用ネットワーク１００２に伝送し、相互作用ネットワーク１００２はＳＭＳ又はＭＭＳメッセージによって端末機５０３にこの通知メッセージを伝送する。
【００８８】
ステップ１０１７で、相互作用ネットワーク１００２は、ＳＭＳ又はＭＭＳメッセージによって通知メッセージを端末機１００３に伝送する。ステップ１０１８で、端末機１００３は、先に説明したように、通知メッセージが対応する動作を遂行する。
【００８９】
＜第３の実施形態＞
図１１は、本発明の第３の実施形態により、ＢＣＡＳＴ対する通知メッセージを伝送するＢＣＡＳＴネットワークの構成を示す。図示の個体は、物理的に区別されうる。この論理個体は、一つ或いはそれ以上の物理個体を結合することができる。また、以下に、本発明により、通知メッセージの伝送に関連したインターフェースだけを示す。
【００９０】
図１１を参照すると、コンテンツ供給部１１１は、ＢＣＡＳＴサービスの供給者であって、ＢＣＡＳＴサービスは従来の音声/映像放送サービス、ファイル(音楽ファイル及びデータファイル)ダウンロードなどになる。コンテンツ供給部１１０１は、ＢＣＡＳＴサービスの供給に問題又は変動事項が発生した場合に、ＢＣＡＳＴサービスアプリケーション部１１０２の内部に位置する通知イベント部１１０２-１に上記の問題又は変更事項を通知する。
【００９１】
ＢＣＡＳＴサービスアプリケーション部１１０２は、コンテンツ供給部１１０１からＢＣＡＳＴサービスデータを受信し、ＢＣＡＳＴネットワークに適合するようにＢＣＡＳＴサービスデータ(例えば、ストリーミング音声/映像又は映画ダウンロード)を処理する。コンテンツ供給部１１０１からＢＣＡＳＴサービスの変更を示す通知イベントの通知を受信する場合に、ＢＣＡＳＴ加入管理部１１０４の通知生成部１１０４-１に通知イベントを通知し、通知メッセージの生成に使用されるサービス案内属性情報を通知生成部１１０４-１に提供する。
【００９２】
ＢＣＡＳＴサービス分配/適応部(Service  Distribution/Adaption  entity)１１０３は、ＢＣＡＳＴサービスアプリケーション部１１０２から受信されたＢＣＡＳＴサービスデータを結合し、ＢＣＡＳＴサービスデータを伝送するベアラを設定し、ＢＣＡＳＴサービスの伝送スケジュールを決定してサービス案内を生成する。ＢＣＡＳＴサービス分配/適応部１１０３は、ＢＤＳ１１０６及び双方向通信を支援する相互作用ネットワーク１１０７に接続される。ＢＣＡＳＴサービス分配/適応部１１０３は、通知分配/適応部１１０３-１を含み、ＢＣＡＳＴ加入管理部１１０４から受信された通知メッセージをＢＤＳ１１０６又は相互作用ネットワーク１１０７を通じて一つ又はグループの端末機に伝送する。
【００９３】
ＢＣＡＳＴ加入管理部１１０４は、ＢＣＡＳＴサービスの受信のための加入情報、サービス提供情報、及びＢＣＡＳＴサービスを受信する端末機らに関する装置情報を管理する。そして、ＢＣＡＳＴ加入管理部１１０４は、ＢＣＡＳＴサービスアプリケーション部１１０２にユーザー課金情報を伝送し、加入情報、サービス提供情報、装置情報をＢＤＳ１１０６及び相互作用ネットワーク１１３２に提供する。特に、ＢＣＡＳＴ加入管理部１１０４は、通知生成部１１０４-１を含み、ＢＣＡＳＴサービスアプリケーション部１１０２、ＢＣＡＳＴサービス分配/適応部１１０３、及びＢＤＳ１１０６から通知イベントの通知を受信して通知イベントに関する通知メッセージを生成し、或いはＢＣＡＳＴ加入管理部１１０４で発生された通知イベントに関する通知メッセージを生成する。
【００９４】
このように通知メッセージが生成されると、通知生成部１１０４-１は、通知メッセージを適用する一つ或いはグループの端末機の加入情報と装置情報を参照して、通知メッセージの受信対象(例えば、通知メッセージに関連したＢＣＡＳＴサービスに加入された端末機)を効率的に把握することができる。 一例として、ＢＣＡＳＴ通知生成部１１０４-１は、ＢＣＡＳＴ加入管理部１１０４によって管理されるユーザープロファイルを参照して、特定サービスを選好する特定ユーザーにその特定サービスに対する通知メッセージを伝送する。他の例として、通知生成部１１０４-１は、ユーザープロファイルを参照して、特定グループのユーザーに通知メッセージを伝送する。もう一つの例として、通知生成部１１０４-１は、ＢＣＡＳＴサービス分配/適応部１１０３から受信されるサービス案内関連情報を参照して、サービス案内の更新に対する通知メッセージを生成する。
【００９５】
ＢＤＳサービス分配部１１０５は、すべての受信されたＢＣＡＳＴサービスデータ又はＢＣＡＳＴ加入管理部１１０４から受信された情報をＢＤＳ１１０６又は相互作用ネットワーク１１０７に分配することによって、上記のＢＣＡＳＴサービスデータ又は情報が放送チャンネル又は双方向(interactive)チャンネルを通じて伝送可能になる。ＢＤＳサービス分配部１１０５は、ＢＤＳ１１０６のタイプにより存在し、或いは存在しないこともある。
【００９６】
ＢＤＳ１１０６は、ＢＣＡＳＴサービスを伝送するネットワークである。例えばＤＶＢ-Ｈ、３ＧＰＰのＭＢＭＳ、又は３ＧＰＰ２のＢＣＭＣＳである。特定のＢＣＡＳＴサービスに変更が発生する場合に、ＢＤＳ１１０６は、Ｘ-１  ８２１を通じてＢＣＡＳＴサービス分配/適応部１１０３に通知イベントの通知を伝送する。
相互作用ネットワーク１１０７は、一対一でＢＣＡＳＴサービスを伝送し、或いはＢＣＡＳＴサービスの受信に関連した制御情報及び追加情報を双方向に交換する。その例としては、既存のセルラーネットワークがある。
【００９７】
端末機１１０８は、ＢＣＡＳＴサービスの受信が可能である。その性能に基づいてセルラーネットワークはアクセスすることができる。本発明では、セルラーネットワークに接続することができる端末機を仮定する。端末機１１０８は、通知クライアント部１１０８-１によってＮＴ-５  １１２５又はＮＴ-６  １１２６を通じて通知メッセージを受信し、通知メッセージで示すような動作を遂行する。
【００９８】
次に、論理個体間のインターフェースを説明する。
ＮＴ-１  １１２１は、ＢＣＡＳＴサービスアプリケーション部１１０２の通知イベント部１１０２−１とコンテンツ供給部１１０１とをインターフェースする。コンテンツ供給部１１０１で通知イベントが発生される場合に、コンテンツ供給部１１０１は、ＮＴ-１を通じて通知イベント部１１０２-１にこの通知イベントの通知を伝送する。
【００９９】
ＮＴ-３  １１２２は、通知イベント部１１０２-１から通知生成部１１０４-１へのインターフェースである。このＮＴ-３は、コンテンツ供給部１１０１又はＢＣＡＳＴサービスアプリケーション部１１０２で発生された通知イベント或いは通知メッセージの生成に必要な情報(例えば、サービス案内属性情報）を通知生成部１１０４-１に伝送する。
【０１００】
ＮＴ-４  １１２３は、通知生成部１１０４-１と通知分配/適応部１１０３-１とのインターフェースである。このＮＴ-４は、通知生成部１１０４-１から生成された通知メッセージを、ＢＤＳ１１０６又は相互作用ネットワーク１１０７に伝送するために通知分配/適応部１１０３-１に伝送し、或いはＢＣＡＳＴ分配/適応部１１０３又はＢＤＳ１１０６で発生された通知イベント或いは通知メッセージの生成に要求される情報を通知生成部１１０４-１に伝送するのに使用される。
【０１０１】
ＮＴ-５  １１２５は、通知分配/適応部１１０３-１から生成された通知メッセージを、ＢＤＳ１１０６を透過的に通過させて放送チャンネルを通じて一つ又はグループの端末機１１０８に直接伝送するためのインターフェースである。
【０１０２】
ＮＴ-６  １１２６は、通知分配/適応部１１０３-１から生成された通知メッセージを、相互作用ネットワーク１１０７を透過的に通過させて、相互作用ネットワーク１１０７によって提供される専用チャンネル又は双方向放送チャンネルを通じて端末機１１０８に伝送するためのインターフェースである。
【０１０３】
ＮＴ-Ｂ１  １１２４は、ＢＣＡＳＴサービス分配/適応部１１０３からＢＤＳ１１０６に伝送経路及びＢＤＳ１１０６で発生された通知イベントの通知のために受信経路を提供するためのインターフェースである。これは、ＢＣＡＳＴサービス分配/適応部１１０３とＢＤＳサービス分配部１１０５とをインターフェースする。通知メッセージは、ＮＴ-Ｂ１を通じてＢＤＳ１１０６又は相互作用ネットワーク１１０７に伝送される。
【０１０４】
Ｘ-１  １１３１は、ＢＤＳサービス分配部１１０５が存在しない場合に、ＢＣＡＳＴサービス分配/適応部１１０３からＢＤＳ１１０６に伝送通路を提供し、ＢＤＳ１１０６で発生された通知イベントの通知のために受信経路を提供するためのインターフェースである。ＢＤＳサービス分配部１１０５が存在する場合に、Ｘ-１は、ＢＤＳ１１０６とＢＤＳサービス分配部１１０５とのインターフェースとして、ＢＤＳ１１０６で発生された通知イベントの通知を伝送する。
【０１０５】
Ｘ-２  １１３２は、ＢＤＳサービス分配部１１０５が存在しない場合に、ＢＣＡＳＴサービス分配/適応部１１０３から相互作用ネットワーク１１０７に伝送通路を提供するためのインターフェースである。ＢＤＳサービス分配部１１０５が存在する場合に、Ｘ-２は、ＢＤＳ１１０６と相互作用ネットワーク１１０７とのインターフェースとして、相互作用ネットワーク１１０７で通知メッセージのためのベアラの設定及び通知メッセージの伝送に使用される。
【０１０６】
Ｘ-３  １１３３は、ＢＤＳ１１０６と端末機１１０８とのインターフェースとして、ＢＣＡＳＴサービスの伝送又は放送チャンネルを通じてすべてのメッセージを伝送するのに使用される。
Ｘ-４  １１３４は、ＢＤＳサービス分配部１１０５と端末機１１０８との放送チャンネルインターフェースである。
【０１０７】
Ｘ-５  １１３５は、ＢＤＳサービス分配部１１０５と端末機１１０８との双方向チャンネルインターフェースである。
Ｘ-６  １１３６は、相互作用ネットワーク１１０７がＢＣＡＳＴサービスに関連した制御情報を伝送するための両方向インターフェースである。
【０１０８】
ＮＴ-１，ＮＴ-３，ＮＴ-４，ＮＴ-Ｂ１，ＮＴ-５，ＮＴ-６は、本発明の望ましい実施形態により提案されたインターフェースである。また、通知イベント部１１０２-１、通知分配/適応部１１０３-１、通知生成部１１０４-１、及び通知クライアント部１１０８-１も、本発明の望ましい実施形態により提案された個体である。
【０１０９】
通知イベント部１１０２-１は、通知メッセージを生成するために必要な情報を伝送し、通知イベントの発生が感知されると、通知イベントの音を通知生成部１１０４-１に伝送する役割をする。より具体的に、通知イベント部１１０２-１は、コンテンツ供給部１１０１からの通知イベントの通知をＮＴ-１を通じて受信し、ＮＴ-３を通じて通知生成部１１０４-１に伝送する。また、通知イベント部１１０２-１は、通知メッセージの生成に必要なサービス案内情報をＮＴ-３を通じて通知生成部１１０４-１に伝送する。
【０１１０】
通知生成部１１０４-１は、通知メッセージの生成に必要な情報及び/又は通知イベントの通知を受信した場合に、通知メッセージを生成して通知分配/適応部１１０３-１に伝送する。この通知イベントは、コンテンツ供給部１１０１、ＢＣＡＳＴ加入管理部１１０４、ＢＣＡＳＴサービス分配/適応部１１０３、及びＢＤＳ１１０６で発生されうる。通知メッセージは、ＢＣＡＳＴサービスの開始を知らせる必要がある場合、コンテンツ供給部１１０１からのＢＣＡＳＴサービス情報の変更に対する通知に基づいて新たなサービス案内を伝送する必要がある場合、又はＢＤＳ１１０６で特別なイベントが発生された場合に生成されることができる。
【０１１１】
通知分配/適応部１１０３-１は、ＮＴ-５又はＮＴ-６を通じて通知メッセージを伝送する役割をする。ＢＣＡＳＴ情報に対する変更(例えば、無線ネットワーク環境による伝送速度の制御又はサービスの不可能)の通知を受信した場合に、通知分配/適応部１１０３-１は、ＮＴ-４を通じて通知生成部１１０４-１に通知イベントの通知を伝送する。ＢＤＳ１１０６で発生された通知イベントは、ＮＴ-Ｂ１及びＮＴ-４を通じて通知生成部１１０４-１に伝送される。ＢＤＳサービス分配部１１０５が存在しない場合に、上記通知イベントは、Ｘ-１を通じて通知生成部１１０４-１に通知される。
【０１１２】
図１２は、本発明の第３の実施形態により、ＢＣＡＳＴ加入管理部から生成された通知メッセージをＢＤＳを通じて端末機に伝送するメッセージ流れを示す。図９に示す通知イベント部１１０２-１を含むＢＣＡＳＴサービスアプリケーション部１２００、通知生成部１１０４-１を含むＢＣＡＳＴ加入管理部１２０１、通知分配/適応部１１０３-１を含むＢＣＡＳＴサービス分配/適応部１２０２、ＢＤＳ１２０３、及び端末機１２０４は、図１１に示したような動作を遂行する。
【０１１３】
図１２を参照すると、ステップ１２１１、ステップ１２１２、又はステップ１２１３で通知イベントが発生する。特に、ステップ１２１１で、ＢＣＡＳＴサービスアプリケーション部１２００は、通知イベントがコンテンツ供給部又はＢＣＡＳＴサービスアプリケーション部で発生すると、通知イベントの通知をＢＣＡＳＴ加入管理部１２０１に伝送する。ＢＤＳ１２０３で通知イベントが発生すると、ＢＤＳ１２０３は、ステップ１２１３で、ＢＣＡＳＴサービ分配/適応部１２０２に通知イベントの通知を伝送する。ステップ１２１３で、ＢＣＡＳＴサービス分配/適応部１２０２は、ＢＣＡＳＴ加入管理部１２０１に通知イベントの通知を伝送する。ステップ１２１２で、ＢＣＡＳＴ加入管理部１２０１は、通知イベントの内部発生を感知する。ステップ１２１５で、通知イベントに対する通知メッセージを構成した後に、ＢＣＡＳＴ加入管理部１２０１は、ステップ１２１６で通知メッセージをＢＣＡＳＴサービス分配/適応部１２０２に伝送する。
【０１１４】
ステップ１２１７で、ＢＣＡＳＴサービス分配/適応部１２０２は、ＢＤＳ１２０３を通じて通知メッセージを伝送することを決定する。通知メッセージの伝送方法は、通知メッセージの適用範囲或いは通知メッセージを伝送するチャンネルの状態に基づいて決定される。複数の端末機が加入しているサービスに重大な通知イベントが発生した場合に、ＢＤＳ１２０３を通じて複数の端末機に通知メッセージを伝送することによって有無線リソースを節約することができる。
【０１１５】
ステップ１２１８で、ＢＣＡＳＴサービス分配/適応部１２０２は、通知メッセージをＢＤＳ１２０３に伝送する。ステップ１２１９で、ＢＤＳ１２０３は、通知メッセージを適切な方式によって端末機１２０４に伝送する。適切な方式は、この通知メッセージを伝送できるＢＣＡＳＴサービスを提供することができる。
【０１１６】
ステップ１２２０で、端末機１２０４は、通知メッセージを受信し、通知メッセージに対応する動作を遂行する。例えば、端末機１２０４は、サービススケジュールの変更又は変更されたサービス案内をユーザーに通知する。通知メッセージが示すサービス案内が貯蔵されたサービス案内と一致する場合に、端末機１２０４はサービス案内を受信しないことで電力を節約する。
【０１１７】
図１３は、本発明の第３の実施形態により、ＢＣＡＳＴ加入管理部から生成された通知メッセージを相互作用ネットワークを通じて端末機に伝送するメッセージ流れを示す。図１３に示す通知イベント部１１０２-１を有するＢＣＡＳＴサービスアプリケーション部１３００、通知生成部１１０４-１を有するＢＣＡＳＴ加入管理部１３０１、通知分配/適応部１１０３-１を有するＢＣＡＳＴサービス分配/適応部１３０２、相互作用ネットワーク１３０３、及び端末機１３０４は、図１１に示したような動作を遂行する。
【０１１８】
図１３を参照すると、通知イベントはステップ１３１１、ステップ１３１２、又はステップ１３１４で発生する。特に、コンテンツ供給部又はＢＣＡＳＴサービスアプリケーション部１３００で通知イベントが発生する場合に、ステップ１３１１で、ＢＣＡＳＴサービスアプリケーション部１３００は、通知イベントの通知をＢＣＡＳＴ加入管理部１３０１に伝送する。図１３に示されていないが、ＢＤＳで通知イベントが発生すれば、ＢＤＳは、通知イベントをＢＣＡＳＴサービス分配/適応部１３０２に伝送する。すると、ステップ１３１４で、ＢＣＡＳＴサービス分配/適応部１３０２は、通知イベントの通知をＢＣＡＳＴ加入管理部１３０１に伝送する。ステップ１３１２で、ＢＣＡＳＴ加入管理部１３０１は、通知イベントの内部発生を感知する。ステップ１３１５で、通知イベントに対する通知メッセージを構成した後に、ＢＣＡＳＴ加入管理部１３０１は、ステップ１３１６で通知メッセージをＢＣＡＳＴサービス分配/適応部１３０２に伝送する。
【０１１９】
ステップ１３１７で、ＢＣＡＳＴサービス分配/適応部１３０２は、相互作用ネットワーク１３０３を通じて通知メッセージを伝送することに決定する。通知メッセージの伝送方式は、通知メッセージの適用範囲或いは通知メッセージを伝送するチャンネルの状況に基づいて決定される。ステップ１３１８で、通知メッセージをＢＣＡＳＴサービス分配/適応部１３０２に伝送するために、２つの方式を使用することができる。一つの方式は、通知メッセージがＢＣＡＳＴサービス分配/適応部１３０２によってＯＭＡ  ＳＭＳ又はＭＭＳメッセージに含まれることによって、相互作用ネットワーク１３０３は、ＳＭＳ又はＭＭＳメッセージを簡単に伝送する。他の方式は、通知メッセージを相互作用ネットワーク１３０３に伝送し、相互作用ネットワーク１３０３はＳＭＳ又はＭＭＳメッセージによって端末機１３０４にこの通知メッセージを伝送する。
【０１２０】
ステップ１３１９で、相互作用ネットワーク１３０３は、ＳＭＳ又はＭＭＳメッセージによって通知メッセージを端末機１３０４に伝送される。ステップ１３２０で、端末機１３０４は、先に説明したように、通知メッセージが対応する動作を遂行する。
【０１２１】
以上、本発明の詳細な説明においては具体的な実施形態に関して説明したが、特許請求の範囲を逸脱することなく、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【０１２２】
【図１Ａ】従来の移動放送システムにおけるサービス案内メッセージの構成を示す図である。
【図１Ｂ】従来の移動放送システムにおけるサービス案内メッセージの構成を示す図である。
【図２】本発明の一実施形態によるＢＣＡＳＴネットワークの構成を示す図である。
【図３Ａ】本発明の望ましい実施形態による通知メッセージの構成を示す図である。
【図３Ｂ】本発明の望ましい実施形態による通知メッセージの構成を示す図である。
【図３Ｃ】本発明の望ましい実施形態による通知メッセージの構成を示す図である。
【図３Ｄ】本発明の望ましい実施形態による通知メッセージの構成を示す図である。
【図３Ｅ】本発明の望ましい実施形態による通知メッセージの構成を示す図である。
【図４】本発明の第１の実施形態により、ＢＣＡＳＴサービスアプリケーション部から発生された通知メッセージをＢＤＳを通じて端末機に伝送するメッセージの流れを示す図である。
【図５】本発明の第１の実施形態により、ＢＣＡＳＴサービスアプリケーション部から発生された通知メッセージを相互作用ネットワークを通じて端末機に伝送するメッセージの流れを示す図である。
【図６】本発明の第１の実施形態により、通知イベントがＢＤＳで発生された場合に、ＢＣＡＳＴサービスアプリケーション部又はＢＣＡＳＴサービス分配部から発生された通知メッセージを放送ネットワークを通じて端末機に伝送するメッセージの流れを示す図である。
【図７】本発明の第１の実施形態により、通知イベントがＢＤＳで発生された場合に、ＢＣＡＳＴサービスアプリケーション部又はＢＣＡＳＴサービス分配部から発生された通知メッセージを相互作用ネットワークを通じて端末機に伝送するメッセージの流れを示す図である。
【図８】本発明の第２の実施形態により、ＢＣＡＳＴの通知メッセージを伝送するＢＣＡＳＴネットワークの構成を示す図である。
【図９】本発明の第２の実施形態により、ＢＣＡＳＴサービス分配部から生成された通知メッセージをＢＤＳを通じて端末機に伝送するメッセージ流れを示す図である。
【図１０】本発明の第２の実施形態により、ＢＣＡＳＴサービス分配部から生成された通知メッセージを相互作用ネットワークを通じて端末機に伝送するメッセージ流れを示す図である。
【図１１】本発明の第３の実施形態により、ＢＣＡＳＴ通知メッセージを伝送するＢＣＡＳＴネットワークの構成を示す図である。
【図１２】本発明の第３の実施形態により、ＢＣＡＳＴ加入管理部から生成された通知メッセージを放送ネットワークを通じて端末機に伝送するメッセージ流れを示す図である。
【図１３】本発明の第３の実施形態により、ＢＣＡＳＴ加入管理部から生成された通知メッセージを相互作用ネットワークを通じて端末機に伝送するメッセージ流れを示す図である。
【符号の説明】
【０１２３】
２０１；コンテンツ供給部
２０２；ＢＣＡＳＴサービスアプリケーション部
２０３；ＢＣＡＳＴサービス分配部
２０４；放送分配システム
２０５；相互作用ネットワーク
２０６；通知クライアント部
【図１Ａ】
2008529343.tif 000003
【図１Ｂ】
2008529343.tif 000004
【図２】
2008529343.tif 000005
【図３Ａ】
2008529343.tif 000006
【図３Ｂ】
2008529343.tif 000007
【図３Ｃ】
2008529343.tif 000008
【図３Ｄ】
2008529343.tif 000009
【図３Ｅ】
2008529343.tif 000010
【図４】
2008529343.tif 000011
【図５】
2008529343.tif 000012
【図６】
2008529343.tif 000013
【図７】
2008529343.tif 000014
【図８】
2008529343.tif 000015
【図９】
2008529343.tif 000016
【図１０】
2008529343.tif 000017
【図１１】
2008529343.tif 000018
【図１２】
2008529343.tif 000019
【図１３】
2008529343.tif 000020
【国際調査報告】
2008529343.tif 000021
2008529343.tif 000022